(57)【要約】【課題】画像等が重畳された情報コードよりも視認性が優れた読取対象を通信端末が読み取ったときでも、情報コードを読み取ったときと同じように、その読取情報に対応する情報をサーバから適切に取得する。【解決手段】ＱＲコードを示すためのシンボルが付与された画像を疑似ＱＲコードとして用いる。疑似ＱＲコードを通信端末２が読み取ると、その読み取られた画像情報が疑似ＱＲコードの読取情報として通信端末２からサーバ３に送信され、その画像情報に対応する情報がサーバ３から通信端末２に送信されて表示される。疑似ＱＲコードを通信端末２が読み取ると、ＱＲコードを読み取ったときと同じように、サーバ３から情報を適切に取得することができる。【選択図】図１
2016081335.tif 000002
【特許請求の範囲】
【請求項１】
情報コードを示すための情報コード識別子が付与され、通信端末（２）により読み取られると、その読み取られた読取情報が前記通信端末からサーバ（３）に送信され、その読取情報に対応する情報が前記サーバから前記通信端末により受信されると、その受信された情報を前記通信端末が出力可能となる疑似情報コードとして機能する読取対象を構成することを特徴とする読取対象のデータ構造。
【請求項２】
請求項１に記載した読取対象のデータ構造において、
前記情報コード識別子としてＱＲコード（登録商標）を示すためのシンボルが付与された読取対象を構成することを特徴とする読取対象のデータ構造。
【請求項３】
請求項１又は２に記載した読取対象のデータ構造において、
画像内にテキストを含む読取対象を構成することを特徴とする読取対象のデータ構造。
【請求項４】
請求項３に記載した読取対象のデータ構造において、
前記テキストがＩＤである読取対象を構成することを特徴とする読取対象のデータ構造。
【請求項５】
読取対象を読み取る通信端末（２）と、情報を格納しているサーバ（３）と、を備え、前記通信端末が前記サーバにアクセスして当該サーバから読取情報に対応する情報を取得する情報取得システム（１）であって、
前記通信端末は、情報コードを示すための情報コード識別子が付与されている疑似情報コードを前記読取対象として読み取り、その読み取った読取情報を前記サーバに送信し、
前記サーバは、読取情報と情報とを対応付けて格納しており、前記通信端末から読取情報を受信すると、格納している情報のうち当該受信した読取情報に対応する情報を抽出して前記通信端末に送信し、
前記通信端末は、前記サーバから受信した情報を出力することを特徴とする情報取得システム。
【請求項６】
疑似情報コードの生成対象とする情報コードを特定する生成対象特定手段（４１ａ）と、
前記生成対象特定手段により特定された情報コードに対応する読取対象を取得する読取対象取得手段（４１ｂ）と、
前記読取対象取得手段により取得された読取対象に、情報コードを示すための情報コード識別子を付与する情報コード識別子付与手段（４１ｃ）と、を備えたことを特徴とする疑似情報コード生成装置。
【請求項７】
疑似情報コード生成装置（３）の制御手段（３１）に、
疑似情報コードの生成対象とする情報コードを特定する生成対象特定処理と、
前記生成対象特定手段により特定された情報コードに対応する読取対象を取得する読取対象取得処理と、
前記読取対象取得手段により取得された読取対象に、情報コードを示すための情報コード識別子を付与する情報コード識別子付与処理と、を実行させることを特徴とする疑似情報コード生成プログラム。
【発明の詳細な説明】
【技術分野】
【０００１】
本発明は、データ構造、情報取得システム、疑似情報コード生成装置及び疑似情報コード生成プログラムに関する。
【背景技術】
【０００２】
従来より、例えばＱＲ（Quick Response）コード（登録商標）等の予め定められた情報をコード化した情報コードが供されている。この種の情報コードは、例えば通信端末により読み取られることで、対応するアプリケーションプログラム（以下、アプリと称する）を起動することができる等、利便性が高く、広く利用されている。ところで、情報コードは一般的には明暗のパターンにより表示されるので、情報コードを見ただけではどのような情報が含まれているのかを人が視覚的に理解することは困難である。このような背景から、例えば特許文献１には情報コードにロゴ等の画像を重畳することが開示されている。又、情報コードに地図の画像（地図画像）を重畳することも考えられている。
【先行技術文献】
【特許文献】
【０００３】
【特許文献１】特開２０１０−１８２３３６号公報
【発明の概要】
【発明が解決しようとする課題】
【０００４】
しかしながら、情報コードにロゴや地図等の画像を重畳すると、視認性が劣化するという問題がある。
本発明は、上記した事情に鑑みてなされたものであり、その目的は、画像等が重畳された情報コードよりも視認性が優れた読取対象を通信端末が読み取ったときでも、情報コードを読み取ったときと同じように、その読取情報に対応する情報をサーバから適切に取得することができ、利便性を高めることができるデータ構造、情報取得システム、疑似情報コード生成装置及び疑似情報コード生成プログラムを提供することにある。
【課題を解決するための手段】
【０００５】
請求項１に記載した読取対象のデータ構造は、情報コードを示すための情報コード識別子が付与され、通信端末により読み取られると、その読み取られた読取情報が通信端末からサーバに送信され、その読取情報に対応する情報がサーバから通信端末により受信されると、その受信された情報を通信端末が出力可能となる疑似情報コードとして機能する読取対象を構成する。
【０００６】
ユーザが、情報コードを示すための情報コード識別子を目印とし、その情報コード識別子が付与されている読取対象、即ち、疑似情報コードとして機能する読取対象を通信端末により読み取ると、通信端末は、その読み取った読取情報をサーバに送信する。そして、通信端末は、その読取情報に対応する（紐付けられている）情報をサーバから受信すると、その受信した情報を出力する。この場合、情報コードに画像等が重畳されていない疑似情報コードを読取対象として読み取るので、視認性が劣化することはない。即ち、画像等が重畳された情報コードよりも視認性が優れた読取対象である疑似情報コードを通信端末が読み取ると、情報コードを読み取ったときと同じように、その読取情報に対応する情報をサーバから適切に取得することができる。このように疑似情報コードを、情報コードと同じように取り扱うことができ、利便性を高めることができる。
【０００７】
請求項５に記載した情報取得システムは、通信端末は、情報コードを示すための情報コード識別子が付与されている疑似情報コードを読取対象として読み取り、その読み取った読取情報をサーバに送信する。サーバは、読取情報と情報とを対応付けて格納しており、通信端末から読取情報を受信すると、格納している情報のうち当該受信した読取情報に対応する情報を抽出して通信端末に送信する。通信端末は、サーバから受信した情報を出力する。
【０００８】
これにより、請求項１に記載した発明と同様に、画像等が重畳された情報コードよりも視認性が優れた読取対象である疑似情報コードを通信端末が読み取ると、情報コードを読み取ったときと同じように、その読取情報に対応する情報をサーバから適切に取得することができる。
【０００９】
請求項６に記載した疑似情報コード生成装置は、生成対象特定手段は、疑似情報コードの生成対象とする情報コードを特定する。読取対象取得手段は、前記生成対象特定手段により特定された情報コードに対応する読取対象を取得する。情報コード識別子付与手段は、前記読取対象取得手段により取得された読取対象に情報コードを示すための情報コード識別子を付与する。
【００１０】
これにより、このように生成された疑似情報コードを用いることで、請求項１に記載した発明と同様に、画像等が重畳された情報コードよりも視認性が優れた読取対象である疑似情報コードを通信端末が読み取ると、情報コードを読み取ったときと同じように、その読取情報に対応する情報をサーバから適切に取得することができる。
【図面の簡単な説明】
【００１１】
【図１】一実施形態の情報取得システムの全体構成を示す図
【図２】疑似ＱＲコード生成部の構成を示す図
【図３】（ａ）はＱＲコードを示し、（ｂ）は疑似ＱＲコードを示す図
【図４】情報がサーバに格納されている態様を示す図
【図５】通信端末及びサーバの処理の流れを示す図（その１）
【図６】通信端末及びサーバの処理の流れを示す図（その２）
【図７】通信端末がＱＲコードを読み取り、サーバから情報を取得する態様を示す図
【図８】通信端末が疑似ＱＲコードを読み取り、サーバから情報を取得する態様を示す図
【図９】疑似ＱＲコードを示す図
【発明を実施するための形態】
【００１２】
以下、本発明の一実施形態について図面を参照して説明する。
図１に示すように、情報取得システム１は、通信端末２と、サーバ３（疑似情報コード生成装置）とを有し、両者が通信ネットワーク（インターネットを含む）を介してデータ通信可能に構成されている。本実施形態では、通信端末２として所謂スマートフォン（多機能型の携帯電話機）を想定しており、情報コードとしてＱＲ（Quick Response）コード（登録商標）を想定している。又、不特定多数の通信端末２がサーバ３にアクセス可能である。
【００１３】
通信端末２は、制御部２１と、メモリ２２と、ユーザインタフェース（ＵＩ（User Interface））部２３と、表示部２４と、通信部２５と、カメラ２６とを有する。制御部２１は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成されている。メモリ２２は、例えば半導体記憶素子等により構成されており、コンピュータプログラムを記憶している。制御部２１は、メモリ２２に記憶されているコンピュータプログラムを実行し、通信端末２の動作全般を制御する。
【００１４】
ユーザインタフェース部２３は、例えば表示部２４の画面に形成されるタッチパネルや機械的なスイッチ等により構成されており、ユーザからの操作を受け付けると、その操作内容を示す操作検知信号を制御部２１に出力する。表示部２４は、例えば液晶パネルや有機ＥＬ（Electro-Luminescence）パネル等により構成されており、制御部２１から表示指令信号を入力すると、その入力した表示指令信号により指定される画面を表示する（描画する）。通信部２５は、サーバ３との間での通信ネットワークを介したデータ通信を制御する。カメラ２６は、ＣＣＤ（Charge Coupled Device）イメージセンサやＣＭＯＳ（Complementary Metal Oxide Semiconductor）イメージセンサを含んで構成されている。カメラ２６は、制御部２１から撮像指令信号を入力すると、撮像動作を行い、撮像して取得した画像を制御部２１に出力する。尚、通信端末２は、これらの機能の他に、ユーザが発した音声を送話音声として入力する機能、通話相手から通信ネットワークを介して受信した音声を受話音声として出力する機能、電話帳データを記憶する機能等の電話に関する様々な周知の機能を有する。
【００１５】
サーバ３は、制御部３１（制御手段に相当）と、メモリ３２と、記憶部３３と、通信部３４とを有する。制御部３１は、ＣＰＵ、ＲＯＭ、ＲＡＭ及びＩ／Ｏを有するマイクロコンピュータにより構成されている。メモリ３２は、例えば半導体記憶素子等により構成されており、コンピュータプログラムを記憶している。制御部３１は、メモリ３２に記憶されているコンピュータプログラムを実行し、サーバ３の動作全般を制御する。記憶部３３は、ハードディスク等の記憶媒体で構成されており、各種情報（後述する地点情報、サービスＩＤ、画像情報等）をデータベース３３ａに格納している。通信部３４は、通信端末２との間での通信ネットワークを介したデータ通信を制御する。
【００１６】
制御部３１は、疑似ＱＲコード生成部３１ａと、受信制御部３１ｂと、情報抽出部３１ｃと、送信制御部３１ｄとを有する。これら疑似ＱＲコード生成部３１ａ、受信制御部３１ｂ、情報抽出部３１ｃ及び送信制御部３１ｄは、制御部３１が実行するコンピュータプログラム（疑似情報コード生成プログラムを含む）により構成されており、ソフトウェアにより実現されている。
【００１７】
疑似ＱＲコード生成部３１ａは、図２に示すように、生成対象特定部４１ａ（生成対象特定手段に相当）と、読取対象取得部４１ｂ（読取対象取得手段に相当）と、ＱＲコード識別子付与部４１ｃ（情報コード識別子付与手段）とを有する。生成対象特定部４１ａは、疑似ＱＲコードの生成対象とするＱＲコードを特定する。読取対象取得部４１ｂは、生成対象特定部４１ａにより特定されたＱＲコードに対応する画像やテキスト（読取対象）を例えば外部の別のサーバ等から取得する。ＱＲコード識別子付与部４１ｃは、外部の別のサーバ等から読取対象取得部４１ｂにより取得された画像やテキストに、ＱＲコードを示すシンボル（情報コード識別子）を付与し、疑似ＱＲコードを生成する。
【００１８】
即ち、疑似ＱＲコード生成部３１ａは、疑似ＱＲコードの生成対象とするＱＲコードとして例えば図３（ａ）に示すような地図の画像が重畳されているＱＲコード（ＭａｐＱＲ）を特定すると、図３（ｂ）に示すように、その地図データに対応する地図を示す画像（地図画像）を例えば外部の別のサーバ等から取得する。そして、疑似ＱＲコード生成部３１ａは、その外部の別のサーバ等から取得した画像に、ＱＲコードを示すシンボルを付与し、疑似ＱＲコードを生成する。地図の画像が重畳されているＱＲコードは視認性が良いとは言い難い画像であるが、一方、疑似ＱＲコードはユーザが地図の画像自体を視認可能であるので、地図の画像が重畳されているＱＲコードよりも視認性が高い。尚、地図の画像が重畳されているＱＲコードには、地点情報とサービスＩＤとが格納されている。地点情報はＰＯＩ（Point Of Interest）名称と緯度経度とを含むＰＯＩ情報である。サービスＩＤはジャンル（サービスの種別）を示すＩＤであり、ジャンル（後述する図４では例えば和食、イタリアン等）が異なる地点情報に対しては異なる値が付与されており、ジャンルが同じ地点情報に対しては同じ値が付与されている。一方、疑似ＱＲコード生成部３１ａにより生成される疑似ＱＲコードには、画像情報が格納されている。
【００１９】
このようにして生成された疑似ＱＲコードは、ＱＲコードと同様に例えば情報誌の紙面やＷｅｂページ上等で公開されることで、撮像機能を有する通信端末２により読み取られる。即ち、撮像機能を有する通信端末２を使用する不特定多数のユーザは、通信端末２の撮像機能を用いることで、ＱＲコードを容易に読み取り可能であるだけでなく、シンボルを目印として疑似ＱＲコードの範囲（読取位置）を容易に認識することで、疑似ＱＲコードを容易に読み取り可能でもある。即ち、ユーザは、疑似ＱＲコードを、ＱＲコードと同じように取り扱うことが可能である。
【００２０】
記憶部３３のデータベース３３ａは、疑似ＱＲコード生成部３１ａが疑似ＱＲコードを生成することに対応し、図４に示すように、地点情報とサービスＩＤと画像情報とを対応付けて各種情報を格納している。受信制御部３１ｂは、通信端末２から送信された情報要求信号を受信させる。情報抽出部３１ｃは、地点情報及びサービスＩＤが含まれている情報要求信号が受信制御部３１ｂにより受信されると、その受信された情報要求信号から地点情報及びサービスＩＤを特定し、データベース３３ａを検索し、その特定した地点情報及びサービスＩＤと対応付けられて格納されている情報を抽出する。又、情報抽出部３１ｃは、画像情報が含まれている情報要求信号が受信制御部３１ｂにより受信されると、その受信された情報要求信号から画像情報を特定し、データベース３３ａを検索し、その特定した画像情報と対応付けられて格納されている情報を抽出する。送信制御部３１ｄは、情報抽出部３１ｃにより抽出された情報を含む情報応答信号を通信端末２に送信させる。
【００２１】
制御部２１は、コード読取部２１ａと、デコード部２１ｂと、送信制御部２１ｃと、受信制御部２１ｄと、情報出力部２１ｅとを有する。これらコード読取部２１ａ、デコード部２１ｂ、送信制御部２１ｃ、受信制御部２１ｄ及び情報出力部２１ｅは、制御部２１が実行するコンピュータプログラムにより構成されており、ソフトウェアにより実現されている。
【００２２】
コード読取部２１ａは、カメラ２６がＱＲコードを撮像すると、そのＱＲコードの画像をカメラ２６から入力することでＱＲコードを読み取る。又、コード読取部２１ａは、カメラ２６が疑似ＱＲコードを撮像すると、その疑似ＱＲコードの画像をカメラ２６から入力することで疑似ＱＲコードを読み取る。デコード部２１ｂは、コード読取部２１ａにより読み取られたＱＲコードの画像や疑似ＱＲコードの画像をデコードする。このとき、デコード部２１ｂは、ＱＲコードの画像がコード読取部２１ａにより読み取られていれば、その読み取られたＱＲコードに格納されている地点情報及びサービスＩＤを特定する。送信制御部２１ｃは、デコード部２１ｂによりデコードされた地点情報及びサービスＩＤや画像情報を含む情報要求信号をサーバ３に送信させる。受信制御部２１ｄは、サーバ３から送信された情報応答信号を受信させる。情報出力部２１ｅは、サーバ３から受信制御部２１ｄにより受信された情報を含む画像を生成して表示部２４に表示させる。
【００２３】
次に、上記した構成の作用について、図５から図９を参照して説明する。ここでは、
（１）ユーザが疑似ＱＲコードを生成する場合
（２）ユーザが疑似ＱＲコードを利用する（読み取る）場合
について順次説明する。疑似ＱＲコードを生成するユーザと疑似ＱＲコードを利用するユーザとは別であっても良いし同じであっても良い。例えば店舗情報を公開するような利用形態では、店舗情報を公開したい店舗の経営者等が疑似ＱＲコードを生成するユーザとなり、その店舗を利用したい利用者等が疑似ＱＲコードを利用するユーザとなる。
【００２４】
（１）ユーザが疑似ＱＲコードを生成する場合（図５参照）
ユーザは、通信端末２を操作して疑似ＱＲコード生成アプリを起動し、疑似ＱＲコードを生成する。通信端末２において、制御部２１は、ユーザが疑似ＱＲコードの生成対象を設定したことで、疑似ＱＲコードの生成対象を設定すると（Ａ１）、予め設定されているＵＲＬ（Uniform Resource Locator）のサーバ３にアクセスし、疑似ＱＲコード要求信号を送信制御部２１ｃにより通信部２５からサーバ３に送信させる（Ａ２）。
【００２５】
サーバ３において、制御部３１は、通信端末２から送信された疑似ＱＲコード要求信号を受信制御部３１ｂにより受信すると（Ｂ１）、その受信した疑似ＱＲコード要求信号に基づいて疑似ＱＲコードの生成対象を生成対象特定部４１ａにより特定する（Ｂ２、生成対象特定処理）。制御部３１は、疑似ＱＲコードの生成対象を特定すると、その特定したＱＲコードの生成対象に対応する読取対象を例えば外部の別のサーバ等から読取対象取得部４１ｂにより取得する（Ｂ３、読取対象取得処理）。制御部３１は、その取得した読取対象にＱＲコードを示すシンボルをＱＲコード識別子付与部４１ｃにより付与し、疑似ＱＲコードを生成する（Ｂ４、情報コード識別子付与処理）。そして、制御部３１は、その生成した疑似ＱＲコードを画像情報としてデータベース３３ａに格納し（Ｂ５）、疑似ＱＲコードを含む疑似ＱＲコード応答信号を送信制御部３１ｄにより通信部３４から通信端末２に送信させる（Ｂ６）。
【００２６】
通信端末２において、制御部２１は、サーバ３から送信された疑似ＱＲコード応答信号を受信制御部２１ｄにより受信すると（Ａ３）、その受信した疑似ＱＲコード応答信号に含まれる疑似ＱＲコードを特定し、その特定した疑似ＱＲコードを情報出力部２１ｅにより表示する（Ａ４）。これにより、ユーザは、通信端末２を操作して疑似ＱＲコード生成アプリを起動することで、サーバ３が生成した疑似ＱＲコードを確認することができる。
【００２７】
（２）ユーザが疑似ＱＲコードを利用する（読み取る）場合（図６参照）
ユーザは、通信端末２を操作して疑似ＱＲコード読み取りアプリを起動し、疑似ＱＲコードを利用する（読み取る）。制御部２１は、ユーザがカメラ２６で疑似ＱＲコードを撮像したことで、疑似ＱＲコードの画像をカメラ２６から入力すると、その入力した画像から疑似ＱＲコードをコード読取部２１ａにより読み取る（Ａ１１）。制御部２１は、疑似ＱＲコードを読み取ると、その読み取った疑似ＱＲコードを所定のアルゴリズムにしたがってデコードし（Ａ１２）、予め設定されているＵＲＬ（Uniform Resource Locator）のサーバ３にアクセスし、画像情報を含む情報要求信号を送信制御部２１ｃにより通信部２５からサーバ３に送信させる（Ａ１３）。
【００２８】
サーバ３において、制御部３１は、通信端末２から送信された情報要求信号を受信制御部３１ｂにより受信すると（Ｂ１１）、その受信した情報要求信号に含まれる画像情報を特定する（Ｂ１２）。制御部３１は、画像情報を特定すると、データベース３３ａを検索し（Ｂ１３）、画像情報に対応する情報を抽出する（Ｂ１４）。そして、制御部３１は、その抽出した情報を含む情報応答信号を送信制御部３１ｄにより通信部３４から通信端末２に送信させる（Ｂ１５）。
【００２９】
通信端末２において、制御部２１は、サーバ３から送信された情報応答信号を受信制御部２１ｄにより受信すると（Ａ１４）、その受信した情報応答信号に含まれる情報を例えば地図表示用フォーマットに変換する等して情報出力部２１ｅにより表示する（Ａ１５）。これにより、ユーザは、疑似ＱＲコード読み取りアプリを起動し、疑似ＱＲコードを撮像することで、画像情報に対応する情報をサーバ３から取得することができる。
【００３０】
図７は、通信端末２がナビアプリを起動し、ＱＲコードをナビアプリのＱＲコード読み取り機能により読み取った場合を例示している。通信端末２は、ＱＲコードをナビアプリのＱＲコード読み取り機能により読み取ると、その読み取ったＱＲコードをデコードして地点情報及びサービスＩＤをサーバ３に送信する。サーバ３は、通信端末２から地点情報及びサービスＩＤを受信すると、データベース３３ａを検索し、地点情報及びサービスＩＤに対応する情報を抽出し、その抽出した情報を通信端末２に送信する。通信端末２は、サーバ３から地点情報及びサービスＩＤに対応する情報を受信すると、その情報を表示する。図７の例示では、サーバ３がジャンル検索（サービスＩＤが一致する情報の検索）を行ったことで、通信端末２において、選択している地点情報のＰＯＩ名称Ｍ１及びマップコードＭ２が表示されると共に、矢印ボタンＭ３が表示された場合を示している。この場合、通信端末２は、ユーザが矢印ボタンＭ３を押下すると、例えば選択している地点情報からの距離が近い順に別の地点情報を順次表示し、ＰＯＩ名称Ｍ１及びマップコードＭ２の表示を順次切替える。これにより、ユーザは、カメラ２６でＱＲコードを撮像すると、ＱＲコードに格納されている地点情報及びサービスＩＤに対応する情報をサーバ３からダウンロードして確認することが可能となる。
【００３１】
これに対し、図８は、通信端末２がナビアプリを起動し、疑似ＱＲコードをナビアプリのＱＲコード読み取り機能により読み取った場合を例示している。通信端末２は、疑似ＱＲコードをナビアプリのＱＲコード読み取り機能により読み取ると、その読み取った疑似ＱＲコードをデコードして画像情報を疑似ＱＲコードの読取情報としてサーバ３に送信する。サーバ３は、通信端末２から画像情報を受信すると、データベース３３ａを検索し、画像情報に対応する情報を抽出し、その抽出した情報を通信端末２に送信する。通信端末２は、サーバ３から画像情報に対応する情報を受信すると、その情報を表示する。図８の例示でも、図７の例示と同様にサーバ３がジャンル検索（サービスＩＤが一致する情報の検索）を行ったことで、通信端末２において、選択している地点情報のＰＯＩ名称Ｍ１及びマップコードＭ２が表示されると共に、矢印ボタンＭ３が表示された場合を示している。これにより、ユーザは、カメラ２６で疑似ＱＲコードを撮像すると、ＱＲコードを撮像したときと同じように、画像情報に対応する情報をサーバ３からダウンロードして確認することが可能となる。
【００３２】
以上は、地図だけの画像にＱＲコードを示すシンボルを付与した疑似ＱＲコードを説明したが、図９に示すように、テキスト（図９では例えば「Ａｂｃｄｅ１２５１４８＊＊＊」等のＩＤ）を含む画像にＱＲコードを示すシンボルを付与しても良い。この場合、通信端末２は、テキストを含む疑似ＱＲコードをナビアプリのＱＲコード読み取り機能により読み取ると、その読み取った疑似ＱＲコードをデコードして画像情報とテキスト情報とを疑似ＱＲコードの読取情報としてサーバ３に送信する。この場合、テキスト情報に含まれるＩＤはどのような情報であっても良く、例えばＰＯＩ名称や認証キー等であっても良い。ＩＤがＰＯＩ名称であれば、サーバ３は、通信端末２から疑似ＱＲコードの読取情報を受信すると、そのＩＤに基づいてＰＯＩ名称を特定し、そのＰＯＩ名称に対応する情報を抽出する。又、ＩＤが認証キーであれば、サーバ３は、通信端末２から疑似ＱＲコードの読取情報を受信すると、そのＩＤに基づいて認証を行い、認証結果が正であることを条件として画像情報に対応する情報を抽出する。
【００３３】
以上説明したように実施形態によれば、次に示す効果を得ることができる。
情報取得システム１において、ＱＲコードを示すためのシンボルが付与された画像を疑似ＱＲコードとして用い、疑似ＱＲコードを通信端末２が読み取ると、その読み取られた画像情報が疑似ＱＲコードの読取情報として通信端末２からサーバ３に送信され、その画像情報に対応する情報がサーバ３から通信端末２に送信されて表示されるようにした。これにより、疑似ＱＲコードを通信端末２が読み取ると、ＱＲコードを読み取ったときと同じように、サーバ３から情報を適切に取得することができる。この場合、ＱＲコードに画像等が重畳されていない疑似ＱＲコードを読取対象として読み取るので、視認性が劣化することはない。
【００３４】
本発明は、上記した実施形態で例示したものに限定されることなく、その範囲を逸脱しない範囲で任意に変形又は拡張することができる。
一実施形態では、情報コードとしてＱＲコードを例示したが、ＱＲコード以外の二次元コードであっても良いし、一次元コードであっても良い。又、一実施形態では、通信端末２としてスマートフォンを例示したが、スマートフォンよりも表示部の表示面積が小さい簡易な携帯電話機やスマートフォンよりも表示部の表示面積が大きいタブレット端末等であっても良い。
【００３５】
一実施形態では、サーバ３が疑似ＱＲコードを生成する構成、即ち、疑似ＱＲコードを生成するサーバと、ＱＲコードを読み取った通信端末２がアクセスするサーバとが同じである構成を例示したが、それらを異なるサーバとして連携させても良い。即ち、通信端末２が疑似ＱＲコードを読み取ってサーバにアクセスしたときに、疑似ＱＲコードの読取情報に対応する情報を抽出可能であれば、疑似ＱＲコードを生成するサーバと、疑似ＱＲコードの読取情報に対応する情報を格納しているサーバとが別々であっても良く、サーバをどのように構成しても良い。
【００３６】
一実施形態では、疑似ＱＲコードの画像として地図を示す画像（地図画像）を例示したが、どのような画像であっても良い。即ち、疑似ＱＲコードの生成対象とするＱＲコードに飲食店の情報が格納されていれば、ナイフとフォークや容器（丼等）を示す画像であっても良い。又、画像は文字や記号等であっても良い。即ち、ユーザがシンボルを目印として画像を撮像したときに、その画像情報に基づいてサーバ３から取得される情報をユーザが連想し得る画像であれば良い。
【００３７】
一実施形態では、地点情報が緯度経度である場合を例示したが、住所、郵便番号、電話番号、地域メッシュコード（ＪＩＳ Ｘ ０４１０）等の直接的又は間接的に地点を特定可能な情報が含まれていても良い。即ち、「地点」には、位置だけでなく、その位置が存在する地域も含んでいる。
【符号の説明】
【００３８】
図面中、１は情報取得システム、２は通信端末、３はサーバ（画像生成装置）、３１は制御部（制御手段）、４１ａは生成対象特定部（生成対象特定手段）、４１ｂは読取対象取得部（読取対象取得手段）、４１ｃはＱＲコード識別子付与部（情報コード識別子付与手段）である。
【図１】
2016081335.tif 000003
【図２】
2016081335.tif 000004
【図３】
2016081335.tif 000005
【図４】
2016081335.tif 000006
【図５】
2016081335.tif 000007
【図６】
2016081335.tif 000008
【図７】
2016081335.tif 000009
【図８】
2016081335.tif 000010
【図９】
2016081335.tif 000011